(57)【要約】【課題】手のひらでしっかり把持できる形状の把持部を備えるようにすることで作業性を高めると共に、床面等との間に隙間を出来づらくさせて効率よく清掃することが可能な組立式の使い捨て紙製塵取りを提供する。【解決手段】嘔吐物等が集積される底板１０と、その底板１０の前側に形成され、嘔吐物等を掬い取るための掬い取り板部２０と、その底板１０の左右側に形成され、嘔吐物等の飛散を防止させる左右壁板３０，３１と、その底板１０の後側に形成され、手のひらで握れる把持部４０と、その底板１０の後側に形成され、嘔吐物等が手に付着することを防止させる後壁板５０とを用いて組立式の紙製塵取り１を構成する。【選択図】図１
2018019971.tif 000002
【特許請求の範囲】
【請求項１】
紙製の平板を折り曲げて形成される組立式の紙製塵取りにおいて、
左右側に谷折斜線を有し、前辺より後辺を短寸とさせた略台形状の底板を形成し、
前記底板の左右側の谷折斜線を介して、略直角三角形状の左壁板及び右壁板を形成し、
前記底板の前辺の前側には、前記底板に連なって掬い取り板部を形成し、
前記底板の後辺の後側には、前記底板に連なって把持底板を形成し、
前記把持底板の左側の谷折線を介して、順に把持左板、把持天板、把持右板、及び把持連結片を連接して形成し、
前記把持底板の右側の谷折線を介して、把持内板を形成し、
前記把持底板の後側の谷折線を介して、順に把持後板及び舌片を連接して形成し、
前記把持左板及び前記把持右板の後側の谷折線を介して、左フラップ及び右フラップを形成し、
前記右壁板の後側の谷折線を介して、順に後壁板、後壁延長板及び後壁連結片を連接して形成し、
前記左壁板の適所には、前記後壁連結片が差し込まれる差込口を形成し、
前記把持底板の右側の谷折線上には、記把持連結片が差し込まれる差込口を形成し、
使用する際には、少なくとも、前記把持底板、前記把持左板、前記把持天板、前記把持右板、前記把持後板、前記把持内板、前記右フラップ、前記左フラップ、舌片及び前記把持連結片を用いて、手のひらで把持できる形状の把持部を形成し、
平面的な接地面に前記掬い取り板部を押し付けることにより、弾性力によって前記掬い取り板部が湾曲面状から平面状に弾性変形することを特徴とする組立式の紙製塵取り。
【請求項２】
前記底板の中央には、前記後辺から直交する方向に向けて中央谷折線が形成されていることを特徴とする請求項１に記載の組立式の紙製塵取り。
【請求項３】
前記中央谷折線は、前記掬い取り板部の領域を除き、前記後辺から直交する方向に向けて形成されていることを特徴とする請求項２に記載の組立式の紙製塵取り。
【発明の詳細な説明】
【技術分野】
【０００１】
本発明は、組立式の使い捨て紙製塵取りに関するものである。
【背景技術】
【０００２】
病院、介護施設等においては、患者等による嘔吐物や汚物を処理する機会が多々ある。高齢化社会が進む昨今において、病院等を利用する患者等が増加して、ますますこのような機会が増えてくることが想定される。ここで、患者等の嘔吐物等の処理に際しての重要時は、院内感染防止の観点により、嘔吐物等が作業者の手に触れないようにすること、床面等に嘔吐物等の取りこぼしができるだけ無いようにすることである。また、当然のことながら作業性に優れること、その後の廃棄処理が容易であることも求められている。
【０００３】
例えば、ペットの排泄物を衛生的に処理することを目的として、紙製の排泄物処理容器が提案されている（特許文献１）。この処理容器は、未使用時には平面状態で保管でき、使用時には紙製シートの適所を折り曲げて成形するものであって、把持部を掴んでスコップのようにして排泄物を処理するものである。
【０００４】
この処理容器によれば、把持部を掴んで作業をするので、作業者の手に排泄物が付着することなく処理することが可能であり、また、紙製であるので使用後は可燃ごみとして容易に処理することができる。さらに、未使用時は平板状であるため場所を取らずに保管することができる。
【先行技術文献】
【特許文献】
【０００５】
【特許文献１】登録実用新案第３１１６９３７号公報
【発明の概要】
【発明が解決しようとする課題】
【０００６】
ここで、この処理容器の把持部は、紙製シートの端部同士が重なり合った僅かな領域によって構成される（特許文献１の図１参照）。そのため、その把持部の強度は弱く、かつ、摘まむようにして持つため力が入りづらく効率的に作業ができない。
【０００７】
また、この処理容器は、単に床面に載置して排泄物を処理するに過ぎない。そのため、排泄物を掬い取る糞受部と床面との間に隙間が出来易く、汚物等を満遍なく処理することができない。
【０００８】
そこで、本発明は、手のひらでしっかり把持できる形状の把持部を備えるようにすることで作業性を高めると共に、床面等との間に隙間を出来づらくさせて効率よく清掃することが可能な組立式の紙製塵取りを提供することを目的とする。
【課題を解決するための手段】
【０００９】
本発明における組立式の紙製塵取りは、紙製の平板を折り曲げて形成される組立式の紙製塵取りにおいて、左右側に谷折斜線を有し、前辺より後辺を短寸とさせた略台形状の底板を形成し、前記底板の左右側の谷折斜線を介して、略直角三角形状の左壁板及び右壁板を形成し、前記底板の前辺の前側には、前記底板に連なって掬い取り板部を形成し、前記底板の後辺の後側には、前記底板に連なって把持底板を形成し、前記把持底板の左側の谷折線を介して、順に把持左板、把持天板、把持右板、及び把持連結片を連接して形成し、前記把持底板の右側の谷折線を介して、把持内板を形成し、前記把持底板の後側の谷折線を介して、順に把持後板及び舌片を連接して形成し、前記把持左板及び前記把持右板の後側の谷折線を介して、左フラップ及び右フラップを形成し、前記右壁板の後側の谷折線を介して、順に後壁板、後壁延長板及び後壁連結片を連接して形成し、前記左壁板の適所には、前記後壁連結片が差し込まれる差込口を形成し、前記把持底板の右側の谷折線上には、記把持連結片が差し込まれる差込口を形成し、使用する際には、少なくとも、前記把持底板、前記把持左板、前記把持天板、前記把持右板、前記把持後板、前記把持内板、前記右フラップ、前記左フラップ、舌片及び前記把持連結片を用いて、手のひらで把持できる形状の把持部を形成し、平面的な接地面に前記掬い取り板部を押し付けることにより、弾性力によって前記掬い取り板部が湾曲面状から平面状に弾性変形することを特徴とする。
【００１０】
また、本発明における組立式の紙製塵取りは、前記底板の中央には、前記後辺から直交する方向に向けて中央谷折線が形成されていることを特徴とする。
【００１１】
また、本発明における組立式の紙製塵取りは、前記中央谷折線は、前記掬い取り板部の領域を除き、前記後辺から直交する方向に向けて形成されていることを特徴とする。
【発明の効果】
【００１２】
本発明の組立式の紙製塵取りは、使用する際には、少なくとも、把持底板、把持左板、把持天板、把持右板、把持後板、把持内板、右フラップ、左フラップ、舌片、及び前記把持連結片を用いて、手のひらで把持できる形状の把持部が形成される構造となっている。そのため、本発明は、手のひらでしっかり握ることができ、持ち易い上、把持部に強度があり安定性があるので、効率の良い作業を実現させることができる。
【００１３】
また、本発明の組立式の紙製塵取りは、平面的な接地面に掬い取り板部を押し付けることにより、掬い取り板部は湾曲面状から平面状に弾性変形する。そのため、掬い取り板部を床等に押し付けた時、しっかりと密着するので嘔吐物等が両者の隙間に入り込むことを防ぐことができる。
【００１４】
また、本発明の組立式の紙製塵取りは、底板の中央には、後辺から直交する方向に向けて、中央谷折線が形成される構造となっている。そのため、中央谷折線を介して左右側壁を外側から押圧するだけで全幅を減じさせることができるので、例えば、少々間口が狭いビニール袋にも容易に廃棄することができる。
【００１５】
また、本発明の組立式の紙製塵取りは、前述の中央谷折線が掬い取り板部の領域を除き、後辺から直交する方向に向けて形成される構造となっている。すなわち、掬い取り板部の領域には中央谷折線が形成されていない。したがって、使用時において掬い取り板部はきれいな湾曲面状から平面形状へ弾性変形するため嘔吐物等が隙間に入り込むことを一層防ぐことができる。
【図面の簡単な説明】
【００１６】
【図１】（ａ）は、本発明の実施形態に係る組立式の紙製塵取りの組立後の状態を示す斜視図、（ｂ）は、本発明の実施形態に係る組立式の紙製塵取りの組立前の展開状態を示す平面図である。
【図２】本発明の実施形態に係る組立式の紙製塵取りにおける左右壁板を起立させ、後壁板、後壁延長板、後壁連結を折り曲げて組み立て始めた状態を示す斜視図である。
【図３】本発明の実施形態に係る組立式の紙製塵取りにおける把持天板、把持右板、把持連結片を折り曲げて組み立て最中の状態を示す斜視図である。
【図４】本発明の実施形態に係る組立式の紙製塵取りにおける左右フラップ、把持後板、舌片を折り曲げて組み立てが終わる状態を示す斜視図である。
【図５】本発明の実施形態に係る組立式の紙製塵取りが平面状に弾性変形している状態を示す斜視図である。
【図６】本発明の実施形態に係る組立式の紙製塵取りの中央谷折線を介して折り畳んだ状態を示す斜視図である。
【発明を実施するための形態】
【００１７】
以下に、本発明の組立式の紙製塵取りの実施形態について、図１から図６に基づいて詳細に説明する。図１（ａ）は組立式の紙製塵取りが完成した状態の斜視図、（ｂ）は組立式の紙製塵取りの展開状態を示す平面図、図２は組み立て始めた状態を示す斜視図、図３は組み立て最中の状態を示す斜視図、図４は組み立てが終わる状態を示す斜視図、図５は弾性変形している状態を示す斜視図、図６は折り畳んだ状態を示す斜視図である。
【００１８】
なお、以下の説明において、上下左右前後側は、特に断りにない限り図面で示される通常の使用状態を基準として説明する。すなわち、図１（ａ）に示すように、掬い取り板部２０から把持部４０に向かう水平方向を「前後側」と、その「前後側」に対し直交方向を「左右側」と、その「前後側」に対し垂直方向を「上下側」とする。
【００１９】
本発明の実施形態に係る塵取り（以下、「塵取り」と言う）１は、主に、病院、介護施設等で使用される紙製の組立式の紙製塵取りである。塵取り１は、未使用時には、平板２の状態で保管することができるので保管場所を取らず、使用時には、その平板２の状態から所定の箇所を数カ所折り曲げ、差し込むだけで、簡単に組み立てることができる。
【００２０】
塵取り１に使用する材質としては、コートボール紙、厚紙、段ボール紙等、特に限定されないが、耐水性や強度等を考慮すると、耐水紙が最も好ましい。この耐水紙を使用すれば、塵取り１は、水に濡れても破れにくい耐水強度、及び繰り返し折り曲げても切れにくい耐折性を備えるからである。
【００２１】
用紙等の厚さは、約０．３〜０．７ｍｍが好ましいが、その範囲でも特に約０．５ｍｍが最も好ましい。最も適度な弾力性を有することとなるからである。
【００２２】
ここでまず、塵取り１の全体構造について説明する。
【００２３】
図１（ａ）に示すように、組立てられた塵取り１は、主として、嘔吐物等が集積される底板１０、嘔吐物等を掬い取る掬い取り板部２０、左右側への嘔吐物等のこぼれ落ちを防止させる左右壁板３０，３１、手のひらで握れる把持部４０、及び嘔吐物等が手に付着することを防止させる後壁板５０から構成される。
【００２４】
次に、塵取り１の各部品について説明する。
【００２５】
＜底板１０＞
図１（ｂ）に示すように、底板１０は、その左右側に谷折斜線１０１，１０２をそれぞれ有し、前辺１０ａより後辺１０ｂを短寸とさせた略台形状からなる。なお、一点鎖線である前辺１０ａ及び後辺１０ｂは、塵取り１に表れない仮想の辺である。
【００２６】
底板１０は、塵取り１の組立後は湾曲面状となるが、使用時には平面的な床面６０に後述の掬い取り板部２０を押し付ければ平面状に弾性変形する。
【００２７】
底板１０の中央には、後辺１０ｂから直交する方向に向けて、中央谷折線１１が前辺１０ａの近傍周辺まで伸びている。このように、底板１０の中央に中央谷折線１１を形成させることにより、中央谷折線１１を介して塵取り１を簡単に折りたたんで潰すことができるので、コンパクトに廃棄することができる。
【００２８】
また、図面上は記載されていないが、底板１０の表面に塵取り１の組立方法を示す説明図が記載される。より簡単に塵取り１を組み立てることができ、効果的となるからである。
【００２９】
＜掬い取り板部２０＞
掬い取り板部２０は、底板１０の前辺１０ａの前側に底板１０に連なって形成される。掬い取り板部２０は、底板１０と同様に、塵取り１の組立後は湾曲面状となるが、使用時には平面的な床面６０に掬い取り板部２０を押し付ければ平面状に弾性変形する。
【００３０】
掬い取り板部２０の領域には、中央谷折線１１が形成されないので、何度、弾性変形させても、その領域の強度が著しく低下することはない。すなわち、掬い取り板部２０を、何度、弾性変形させたとしても、掬い取り板部２０の領域に折り目を付けない限り、紙の繊維が壊れにくくなり、掬い取り板部２０の領域の強度は保たれることとなる。
【００３１】
＜左右壁板３０，３１＞
左右壁板３０，３１は、底板１０の左右側の谷折斜線１０１，１０２を介して、それぞれ前側へ向けて漸次細幅の略直角三角形状で形成される。そのため、左右壁板３０，３１を起立させたときは、左右壁板３０，３１は、後側へ向かう程、壁が徐々に高くなり、左右側に嘔吐物等のこぼれ落ちを防ぐ防護壁の役割を果たす。
【００３２】
また、左壁板３０の所定の箇所には、後壁連結片５１ａが差し込まれる差込口３０ａが形成される。
【００３３】
＜把持部４０＞
把持部４０は、底板２０の後辺１０ｂの後側に底板２０に連なって形成される把持底板４１と、把持底板４１の左側の谷折線４０２を介して順に連接して形成される把持左板４２、把持天板４３、把持右板４４、及び把持連結片４４ｂと、把持底板４１の右側の谷折線４０１を介して形成される把持内板４６と、把持底板４１の後側の谷折線４０８を介して順に連接して形成される把持後板４５及び舌片４５ａと、把持左板４２及び把持右板４４の後側の谷折線４０７，４０６を介して形成される左フラップ４２ａ及び右フラップ４４ａとを用いて形成される。また、把持底板４１の右側の谷折線４０１上には、把持連結片４４ｂが差し込まれる差込口４１ａが形成される。
【００３４】
把持部４０は、手のひらで把持できる程度の直方体形状からなり、少なくとも上述した１０枚もの部材（把持底板４１、把持左板４２、把持天板４３、把持右板４４、把持後板４５、把持内板４６、把持連結片４４ｂ、舌片４５ａ、左フラップ４２ａ、右フラップ４４ａ）から形成される構造となっている。そのため、把持部４０は、手のひら全体でしっかりと握ることができるので、持ち易い上、強度、かつ、安定性があり、効率の良い作業を実現させる。
【００３５】
＜後壁板５０＞
後壁板５０は、右壁板３１の後側の谷折線５０１を介して形成される。また、後壁板５０の後方には、後壁板５０の後側の谷折線５０２を介して順に後壁延長板５１及び後壁連結片５１ａが連接して形成される。後壁板５０は、塵取り１の組立後には、左壁板３０と右壁板３１との間であって、かつ、把持部４０の前側に設けられるので、嘔吐物等を掬い取る際、後側にその嘔吐物等が飛散しても、それが手に付着しないよう防護板としての役割を果たす。
【００３６】
[組立方法]
次に、塵取り１の組立方法を説明する。
【００３７】
塵取り１は、組立前は図１（ｂ）に示す平板２の状態となっている。そこで先ず、その状態で、底板１０の左側に設けた谷折斜線１０１及び把持底板４１の左側に設けた谷折線４０２を介して左壁板３０と把持左板４２をそれぞれ起立させる。そうすると、把持天板４３、把持右板４４、把持連結片４４ｂ、右フラップ４４ａ及び左フラップ４２ａも起立する。
【００３８】
同様に、底板１０の右側に設けた谷折斜線１０２及び把持底板４１の右側に設けた谷折線４０１を介して右壁板３１と把持内板４６をそれぞれ起立させる。そうすると、後壁板５０、後壁延長板５１、及び後壁連結片５１ａも起立する。
【００３９】
次に、図２に示すように、右壁板３１の後側に設けた谷折線５０１、後壁板５０の後側に設けた谷折線５０２、及び後壁延長板５１の後側に設けた谷折線５０３を介して後壁板５０、後壁延長板５１、及び後壁連結片５１ａをそれぞれ折曲させる。その状態で、左壁板３０を外側から覆うようにして、左壁板３０に設けた差込口３０ａに後壁連結片５１ａを差し込む。
【００４０】
そうすると、後壁板５０、後壁延長板５１、及び後壁連結片５１ａを介して、右壁板３１と左壁板３０とが連結して接合されると共に、底板１０と掬い取り板部２０の左右側の両端とがそれぞれ上側に持ち上がり、底板１０と掬い取り板部２０は平面状から湾曲面状となる。
【００４１】
上記のように接合されることにより、両壁板３０，３１は、強固に起立するので、例えば、使用時に把持部４０を握りながら強い力で掬い取り板部２０を床面６０に押し付けたとしても、容易に折れ曲ることはない。
【００４２】
次に、図３に示すように、把持左板４２の左側に設けた谷折線４０３、把持天板４３の左側に設けた谷折線４０４、及び把持右板４４の左側に設けた谷折線４０５を介して、把持天板４３、把持右板４４、及び把持連結片４４ｂの順番でそれぞれ折曲させる。その状態で、把持右板４４と把持内板４６とが重なり合うようにして、把持底板４１の右側の谷折線４０１上に形成された差込口４１ａに把持連結片４４ｂを差し込む。
【００４３】
次に、図４に示すように、把持右板４４の後側に設けた谷折線４０６及び把持左板４２の後側に設けた谷折線４０７を介して左右フラップ４４ａ，４２ａをそれぞれ内方に折曲させる。そして、把持底板４１の後側に設けた谷折線４０８及び把持後板４５の後側に設けた谷折線４０９を介して把持後板４５及び舌片４５ａの順番でそれぞれ折曲させる。最後に舌片４５ａを把持部４０の内部に挿入させることにより、強固な把持部４０が形成され、塵取り１が完成する。
【００４４】
[使用方法]
次に、塵取り１の使用方法について説明する。なお、以下では、塵取り１を一つ使用して嘔吐物等を処理する場合について説明するが、例えば、二つの塵取り１を向い合せるようにして互いに掬い合いつつ嘔吐物等を処理することも可能である。
【００４５】
塵取り１を使用する際には、片手で把持部４０をしっかり握り、塵取り１が床面６０に対して一定の角度に傾くように、掬い取り板部２０の全面を床面６０に接地させる。この時、図５に示すように、塵取り１を床面６０に向けて押し下げる方向に力を加えると、弾性力により、底板１０及び掬い取り板部２０は、湾曲面状から平面状に弾性変形する。そうすると、掬い取り板部２０と床面６０とが強固に密着して、両者の間に隙間が出来づらくなり、満遍なく嘔吐物等を掬い取って底板１０上に導くことができる。
【００４６】
嘔吐物等を掬い取った後は、床面６０から掬い取り板部２０を離す。そうすると、弾性力により、掬い取り板部２０と底板１０は平面状から湾曲面状に復帰する。すなわち、塵取り１は初期状態に戻る。そして、作業終了後は、そのままビニール袋等に廃棄すればよい。ここで、図６に示すように、中央谷折線１１を介して左右側壁３０，３１を外側から押圧することで塵取りの全幅を減じさせることができるので、少々間口が狭いビニール袋等であっても容易に廃棄処分ができる。
【００４７】
なお、以上の嘔吐物等を掬い取る説明は、本発明の理解を容易にするための例示であって、用途、目的、仕様等に合わせて適宜変更することにより、本発明は、様々な物を掬い取ることができるものとする。本発明は、例えば、飲食店の床面や洗面所の清掃で使用する清掃用具の一種として、幼児が公園の砂遊びで使用する玩具の一種として、ポップコーンやフライドポテト等の調理で使用する調理器具の一種として用いることもでき、非常に応用範囲が広い。
【符号の説明】
【００４８】
１      塵取り
２      平板
１０    底板
１０ａ  前辺
１０ｂ  後辺
１０１，１０２  谷折斜線
１１    中央谷折線
２０    掬い取り板部
３０    左壁板
３０ａ  差込口
３１    右壁板
４０    把持部
４０１〜４０９  谷折線
４１    把持底板
４１ａ  差込口
４２    把持左板
４２ａ  左フラップ
４３    把持天板
４４    把持右板
４４ａ  右フラップ
４４ｂ  把持連結片
４５    把持後板
４５ａ  舌片
４６    把持内板
５０    後壁板
５０１〜５０３  谷折線
５１    後壁板延長板
５１ａ  後壁板連結片
６０    床面
【図１】
2018019971.tif 000003
【図２】
2018019971.tif 000004
【図３】
2018019971.tif 000005
【図４】
2018019971.tif 000006
【図５】
2018019971.tif 000007
【図６】
2018019971.tif 000008